(57)【要約】  実施形態にかかる表示装置は、一例として、ディスプレイユニットと、第二の部材と、回路基板と、を備える。ディスプレイユニットは、ディスプレイパネルと、第一の部材と、を有する。ディスプレイパネルは、画像が表示される第一の面を有する。第一の部材は、第一の面の周縁部を覆い当該第一の面を露出させる四角形状の開口部を構成する第一の壁部を有する。第二の部材は、四角形状かつ板状であり、開口部の内側に入る大きさに構成され、ディスプレイユニットの第一の面とは反対側の第二の面を隙間をあけて覆う第二の壁部を有する。回路基板は、ディスプレイユニットと第二の部材との間に位置される。
2014155722.tif 000002
【特許請求の範囲】
【請求項１】
画像が表示される第一の面を有したディスプレイパネルと、前記第一の面の周縁部を覆い当該第一の面を露出させる四角形状の開口部を構成する第一の壁部を有した第一の部材と、を有したディスプレイユニットと、
前記開口部の内側に入る大きさに構成され、前記ディスプレイユニットの前記第一の面とは反対側の第二の面を隙間をあけて覆うとともに前記第一の面とは反対側に露出した第二の壁部を有した四角形状の板状の第二の部材と、
前記ディスプレイユニットと前記第二の部材との間に位置された回路基板と、
を備えた、表示装置。
【請求項２】
前記第一の面および前記第二の面に交叉し前記第一の面と前記第二の面との間に亘る前記ディスプレイユニットの第三の面を覆い前記第一の壁部ならびに前記第二の壁部よりも厚さが厚い第三の壁部と、前記第二の面から前記第一の面とは反対側に離間した位置で前記第二の部材を支持する支持部と、前記第三の壁部と前記支持部との間に亘り前記第一の壁部ならびに前記第二の壁部よりも厚さが厚い第四の壁部と、を有した第三の部材、を備えた、請求項１に記載の表示装置。
【請求項３】
前記第四の壁部は、前記第三の壁部から前記支持部へ向かうにつれて前記ディスプレイユニットの中心側に近付く方向に近付くよう構成された、請求項２に記載の表示装置。
【請求項４】
前記第二の部材および前記第三の部材は、前記第二の壁部の周縁部と前記支持部とを貫通した固定具を介して前記ディスプレイユニットと固定され、
前記第三の部材は、前記支持部から前記第三の壁部側に離間した位置に、前記第二の面と接触する接触部を有した、請求項２または３に記載の表示装置。
【請求項５】
前記第四の壁部は、前記支持部と前記第三の壁部との間の位置から前記ディスプレイユニット側へ突出した突出部を有した、請求項２に記載の表示装置。
【請求項６】
画像が表示される第一の面を有したディスプレイパネルと、前記第一の面の周縁部を覆い当該第一の面を露出させる開口部を構成する第一の壁部を有した第一の部材と、を有したディスプレイユニットと、
前記開口部の内側に入る大きさに構成され、前記ディスプレイユニットの前記第一の面とは反対側の第二の面を隙間をあけて覆う第二の壁部を有した第二の部材と、
を備えた、表示装置。
【発明の詳細な説明】
【技術分野】
【０００１】
本発明の実施形態は、表示装置に関する。
【背景技術】
【０００２】
従来、筐体の枠状部分がディスプレイパネルの周縁部を覆った表示装置が知られている。
【先行技術文献】
【特許文献】
【０００３】
【特許文献１】登録実用新案第３１５８３５４号公報
【発明の概要】
【発明が解決しようとする課題】
【０００４】
この種の表示装置では、筐体を構成する部材をより効率良く得ることができれば、有意義である。【０００５】
そこで、本発明の実施形態は、一例として、筐体を構成する部材をより効率良く得ることが可能な表示装置を得ることを目的の一つとする。
【課題を解決するための手段】
【０００６】
実施形態にかかる表示装置は、一例として、ディスプレイユニットと、第二の部材と、回路基板と、を備える。ディスプレイユニットは、ディスプレイパネルと、第一の部材と、を有する。ディスプレイパネルは、画像が表示される第一の面を有する。第一の部材は、第一の面の周縁部を覆い当該第一の面を露出させる四角形状の開口部を構成する第一の壁部を有する。第二の部材は、四角形状かつ板状であり、開口部の内側に入る大きさに構成され、ディスプレイユニットの第一の面とは反対側の第二の面を隙間をあけて覆う第二の壁部を有する。回路基板は、ディスプレイユニットと第二の部材との間に位置される。
【図面の簡単な説明】
【０００７】
【図１】図１は、実施形態にかかる表示装置の一例の正面図である。
【図２】図２は、実施形態にかかる表示装置の一例の側面図である。
【図３】図３は、実施形態にかかる表示装置に含まれるディスプレイユニットの一例の分解斜視図である。
【図４】図４は、図１のIV−IV断面図である。
【図５】図５は、実施形態にかかる表示装置の一例に含まれる第一の部材および第二の部材を一枚の板材から切り取る場合の当該レイアウトの一例の平面図である。
【図６】図６は、第１変形例にかかる表示装置の一例の図４と同等断面での図である。
【発明を実施するための形態】
【０００８】
以下に示される実施形態および変形例は、同様の構成を備える。以下では、それら同様の構成には共通の符号が付与され、重複する説明が省略される。各図では、便宜上、方向が示されている。Ｘ方向は、表示装置（筐体）の長手方向、Ｙ方向は、表示装置の短手方向、Ｚ方向は、表示装置の厚さ方向である。Ｘ方向、Ｙ方向、およびＺ方向は、互いに交叉（直交）している。本実施形態では、Ｘ方向は、第二の方向の一例であり、Ｙ方向は、第一の方向の一例である。
【０００９】
＜実施形態＞
本実施形態にかかる電子機器の一例である表示装置１（映像表示装置、画像表示装置、テレビジョン受像機、モニタ装置）は、図１，２に示されるように、筐体２と、支持部３（支部、台、スタンド）と、を備える。支持部３は、台や、机、棚等の載置部（載置面Ｐ）上に載置され、筐体２を支持する。また、支持部３は、筐体２を、回動可能（移動可能、変位可能、スライド可能）に支持することができる。回動モードとしては、例えば、スイベル、ピボット、チルト等がある。
【００１０】
本実施形態では、一例として、図１に示されるように、筐体２は、ディスプレイユニット４の面４ａ（表示面、前面、正面、第一の面）に対する正面視（以下、単に正面視と記す、図１の視線）では四角形状（本実施形態では、一例として長方形状）に構成されている。また、図１，２に示されるように、筐体２は、前後方向（ディスプレイユニット４の厚さ方向）に薄い扁平な直方体状に構成されている。筐体２は、面２ａ（正面、前面、表面）とこの反対側の面２ｂ（背面、後面、裏面）と、を有する。面２ａと面２ｂとは略平行である。筐体２は、正面視（および背面視）では、四つの端部２ｃ〜２ｆ（辺部、縁部）と、四つの角部２ｇ〜２ｊ（尖部、曲部、端部）と、を有する。なお、端部２ｃ，２ｅは、長辺部の一例である。端部２ｄ，２ｆは、短辺部の一例である。
【００１１】
また、筐体２は、一例として、壁部２ｋ（前壁部、表壁部、第一の壁部）と、壁部２ｍ（後壁部、裏壁部、第二の壁部）と、を有する。壁部２ｋは、面２ａを有する。壁部２ｍは、面２ｂを有する。壁部２ｋは、四角形状の枠状かつ板状（本実施形態では、一例として長方形の枠状かつ板状）である。また、壁部２ｍは、四角形状の板状（本実施形態では、一例として長方形状の板状）である。また、筐体２は、一例としては、四つの壁部２ｎ（側壁部、端壁部、立壁部、亘部）を有する。壁部２ｎは、壁部２ｋと壁部２ｍとの間に亘った面２ｐ（側面、周面）を有する。そして、壁部２ｋには、一例としては四角形状の開口部２ｒが設けられている。筐体２は、例えば、金属材料や合成樹脂材料等（本実施形態では、一例として金属材料）で構成されうる。
【００１２】
筐体２内には、ディスプレイユニット４（ディスプレイユニット、ディスプレイパネル、表示部）が収容されている。本実施形態では、一例として、ディスプレイユニット４の、面２ａ側に位置した面４ａは、開口部２ｒを介して筐体２の前方（外方）に露出している。使用者は、前方側から開口部２ｒを介して面４ａを視認することができる。面４ａには、画像（映像）が表示される。本実施形態では、一例として、ディスプレイユニット４は、正面視では四角形状（本実施形態では、一例として長方形状）に構成されている。また、ディスプレイユニット４は、前後方向に薄い扁平な直方体状に構成されている。
【００１３】
また、本実施形態では、一例として、図４に示されるように、筐体２内の、ディスプレイユニット４の後側（裏側、背後側、壁部２ｍ側、面４ａとは反対側）、すなわち、ディスプレイユニット４と壁部２ｎとの間の隙間Ｓ（空間、室）には、回路基板５（基板、制御基板、メイン基板、プリント基板）が位置されている。回路基板５は、ディスプレイユニット４の面４ａとは反対側の面４ｂ（背面、後面、裏面、第二の面）と略平行に設けられている。また、回路基板５は、壁部２ｋ，２ｍ，２ｎ等と離間した状態で、すなわち、壁部２ｋ，２ｍ，２ｎ等との間に空間が形成された状態で、設けられている。また、回路基板５は、例えばねじ等の固定具（図示されず）によって、ディスプレイユニット４あるいは筐体２に固定される。
【００１４】
回路基板５には、コネクタの他、ＣＰＵ（central processing unit）等の複数の部品（電気部品、電子部品、素子、図示されず）が実装されている。部品には、発熱体が含まれる。発熱量の大きな部品（発熱体）に対応して、冷却機構（受熱部、伝熱部、放熱部、ファン等、図示されず）を設けることができる。そして、回路基板５ならびに当該回路基板５に実装された部品によって、制御回路（図示されず）の少なくとも一部が構成されている。制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部、音声信号処理回路等を、含むことができる。記憶部は、例えば、ＲＯＭ（read only memory）や、ＲＡＭ（random access memory）、ＳＳＤ（solid state drive）、ＨＤＤ（hard disk drive）等である。制御回路は、ディスプレイユニット４の面４ａでの映像（動画や静止画等）の出力や、スピーカ（図示されず）での音声の出力、ＬＥＤ（light emitting diode、図示されず）での発光等を制御する。ディスプレイユニット４や、スピーカ、ＬＥＤ等は、出力部の一例である。
【００１５】
また、本実施形態では、一例として、図３に示されるように、ディスプレイユニット４は、筐体４０を有する。筐体４０は、フロントベゼル４１（フロントマスク、前側部材、第一の部材）と、ミドルフレーム４２（中間部材）と、バックプレート４３（ボトムプレート、後側部材、第二の部材）と、を有する。ディスプレイユニット４の筐体４０内には、表示部４４（パネル部）と、バックライト部４５（バックライト機構）と、が収容されている。各構成部品は、例えば、固定具４６（一例としてはねじ）等によって互いに結合され、一体化されている。
【００１６】
表示部４４（パネル部４４ｂ、ディスプレイパネル）は、例えば、液晶ディスプレイ（ＬＣＤ，liquid crystal display）や有機ＥＬディスプレイ（ＯＥＬＤ，organic electro-luminescent display）等である。なお、ディスプレイユニット４の前面側には、面４ａを覆った薄板状またはシート状の透明なタッチパネル（入力パネル、入力シート、入力装置、図示されず）や、カバー等が設けられてもよい。なお、タッチパネルは、パネル部４４ｂに、所謂インセルタッチパネルとして設けられうる。表示部４４は、例えば、ベース部４４ａや、パネル部４４ｂ、ソース回路基板４４ｃ、ソースＣＯＦ４４ｄ（chip on film）、ゲートＣＯＦ４４ｅ等を有する。
【００１７】
バックライト部４５は、例えば、反射層４５ａや、導光部４５ｂ、プリズム層４５ｃ、偏光層４５ｄ、発光部４５ｅ等を備える。反射層４５ａ、導光部４５ｂ、プリズム層４５ｃ、および偏光層４５ｄは、いずれも正面視で四角形状（長方形状）の扁平な形状を呈しており、これらは図３に示される順に積層されている。また、複数の発光体（例えばＬＥＤ（light emitting diode）等、図示せず）を有した発光部４５ｅは、導光部４５ｂの相互に対向する端部４５ｂ１，４５ｂ２（図３では左右の端部）のそれぞれに沿って、それら端部４５ｂ１，４５ｂ２に隙間をあけて対向して位置されている。発光部４５ｅに設けられた複数の発光体（図示されず）は、端部４５ｂ１，４５ｂ２に沿って、端部４５ｂ１，４５ｂ２に対向した状態で、例えば一列に並べられている。発光体から出た光は、板状の導光部４５ｂの端部４５ｂ１，４５ｂ２から導光部４５ｂ内へ入り、当該導光部４５ｂから、（反射層４５ａ、）プリズム層４５ｃ、偏光層４５ｄを経て、表示部４４の後面に、バックライトとして照射される。なお、バックライト部４５は、かかる構成には限定されず、例えば、導光部４５ｂの後側（裏側、背後側、壁部２ｍ側、面４ａとは反対側）に設けられた発光部（図示されず）から導光部４５ｂに光が入る構成であってもよい。また、ディスプレイユニット４の構成も、上述した構成には限定されない。
【００１８】
また、本実施形態では、一例として、筐体２は、図４に示されるように、ディスプレイユニット４の他に、部材６（第二の部材）と、部材７（第三の部材）とを備えている。
【００１９】
部材６は、壁部２ｋ（４１ａ）に設けられた開口部２ｒの内側に入る（開口部２ｒよりも小さい）大きさで、四角形状の板状に構成されている。部材６は、ディスプレイユニット４の面４ｂ（第二の面）を隙間Ｓを開けて覆っている。部材６および面４ｂは、いずれも面４ａの法線方向（筐体２の厚さ方向、Ｚ方向）と交叉して（本実施形態では、一例として直交して）いる。すなわち、本実施形態では、一例として、部材６と面４ｂとは、略平行である。部材６の壁部６ａ（第二の壁部）は、面４ａとは反対側（後側、裏側、背後側）に露出し、筐体２の壁部２ｍの少なくとも一部を構成している。また、部材６は、一例としては、金属材料（鉄系材料）で構成される。
【００２０】
また、本実施形態では、一例として、図４に示されるように、ディスプレイユニット４の筐体４０を構成するフロントベゼル４１（第一の部材）は、面４ａの周縁部を覆う壁部４１ａと、壁部４１ａの周縁部から後側（裏側、背後側、面４ｂ側）に向けて突出する壁部４１ｂとを有する。フロントベゼル４１は、四角形状かつ枠状の金属部材をプレス成形（絞り成形）等することで、構成されうる。壁部４１ａは、開口部２ｒの内側の縁（端部、エッジ）を構成している。また、壁部４１ｂの面４１ｃは、ディスプレイユニット４の面４ｃ（側面）を構成している。面４ｃは、面４ａと面４ｂとの間に亘り、面４ａ，４ｂと交叉している（本実施形態では、一例として直交している）。
【００２１】
ここで、本実施形態では、一例として、図５に示されるように、金属材料で構成された板材１００を切り取った（切り出した、切った）四角形状の第一の部分１０１を、部材６（第二の部材）として用いているとともに、当該第一の部分１０１の周囲の領域１０２から切り取った（切り出した、切った）四角形状の枠状の第二の部分１０３を、フロントベゼル４１（第一の部材）として用いている。第一の部分１０１をプレス等することで、部材６が構成され、第二の部分１０３をプレス等することで、フロントベゼル４１が構成される。したがって、本実施形態では、一例として、一枚の板材１００から、二つの部材をより効率良く切り取ることができるため、材料の無駄が減りやすい。なお、部材６の一般部分（屈曲されていない部分であって厚さ方向に圧縮加工等されていない部分）の厚さと、フロントベゼル４１の一般部分の厚さは、ほぼ同じである。また、フロントベゼル４１は、四つの線状の部材として構成してもよいし、二つのＬ字状の部材として構成してもよい。
【００２２】
上述したように、部材６とフロントベゼル４１とを一つの板材から取り出すため、本実施形態では、一例として、部材６は、フロントベゼル４１が構成する開口部２ｒの内側に入る大きさである。したがって、本実施形態では、一例として、部材６の外縁の位置Ｐ１と、ディスプレイユニット４の面４ｃの位置Ｐ２との間の幅Ｗ（距離）が大きくなりやすい。また、部材６ならびにフロントベゼル４１の厚さが厚くなるほど、筐体２の質量が大きくなる。そこで、本実施形態では、一例として、部材７を用いて、筐体２の剛性をより効率良く高めている。
【００２３】
部材７（第三の部材）は、一例としては、アルミニウム合金の押出成形によって構成されうる。この場合、部材７は、筐体２の端部２ｃ〜２ｆ（図１参照）毎に設けられる。押出成形にすることによって、外面の研磨処理等が不要になる等の利点が得られる。また、部材７の各壁部（壁部７１、支持部７２、壁部７３等）の厚さは、いずれも、フロントベゼル４１および部材６の各壁部（壁部４１ａ，４１ｂ，６ａ）の厚さ（板材１００の厚さ）より大きい（厚い）。よって、一例としては、部材７により、筐体２の剛性がより高まりやすい。
【００２４】
また、部材７は、図４に示されるように、壁部７１（第三の壁部）と、支持部７２（壁部）と、壁部７３（第四の壁部）と、を有している。壁部７１は、ディスプレイユニット４の面４ｃ（第三の面）を覆っている。壁部７１は、筐体２の壁部２ｎ（側壁）および面２ｐ（側面）の少なくとも一部を構成している。
【００２５】
支持部７２（壁部、突出部）は、壁部７２ａを有している。壁部７２ａは、筐体２の厚さ方向（Ｚ方向、図４では上下方向）に沿って延びるとともに筐体２の端部２ｄに沿った方向（Ｙ方向、図４では紙面と垂直な方向）に沿って延びている。壁部７２ａの端部７２ｂ（先端部、突端部）は、ディスプレイユニット４の面４ｂと接触している。壁部７２ａの端部７２ｂと反対側の端部７２ｃ（支持部）には、凹部７２ｄが設けられている。凹部７２ｄには、部材６の端部６ｂが収容されている。部材６の端部６ｂは、一定幅で面４ａ側に折り曲げられている。これにより、部材６の板材１００からの切断面が部材６の外縁から遠ざかっている。支持部７２は、ディスプレイユニットの面４ｂ（第二の面）から面４ａ（第一の面）とは反対側（後側、裏側、背後側）に離間した位置（端部７２ｃ）で、部材６の端部６ｂを支持している。また、壁部７２ａには、端部２ｄに沿った方向（Ｙ方向、図４では紙面と垂直な方向）に間隔をあけて複数の開口部７２ｅが設けられている。開口部７２ｅは、筐体２の厚さ方向（Ｚ方向、図４では上下方向）に沿って延びている。固定具８（本実施形態では、一例としてねじ）は、開口部７２ｅと当該開口部７２ｅと重なった部材６の開口部６ｃ（貫通孔や切欠等）とを貫通して、ディスプレイユニット４に固定されている。すなわち、固定具８によって、ディスプレイユニット４、部材６、ならびに部材７が、一体化（固定）されている。
【００２６】
また、本実施形態では、一例として、壁部７３は、壁部７１と支持部７２との間に亘っている。また、壁部７３は、壁部７１から支持部７２へ（図４では上側へ）向かうにつれてディスプレイユニット４の中心Ｃ側（図１，２参照、図４では左側）に近付くように延びている。よって、本実施形態によれば、一例としては、壁部７３が面４ｂに沿って延びた構成に比べて、固定具８の結合によって固定具８とディスプレイユニット４とから入力される荷重による壁部７３の変形が、抑制されやすい。また、一例としては、筐体２の外面に傾斜した領域が生じることによって、筐体２が外観上より細く見えやすい。
【００２７】
また、本実施形態では、一例として、部材７は、支持部７２から壁部７１側（図４では右側）へ離間した位置に、面４ａと接触する接触部７４を有している。本実施形態では、一例として、接触部７４は、壁部７３の壁部７１側の端部（近接した位置）に設けられている。よって、本実施形態によれば、一例としては、部材７毎に、支持部７２の端部７２ｂと接触部７４との二箇所がディスプレイユニット４の面４ｂと接触するため、端部７２ｂと接触部７４との二箇所を同一平面上に配置することにより、ディスプレイユニット４（の面４ｂ）と部材７との位置や姿勢のずれが生じ難い。よって、一例としては、壁部７１の先端側（面４ａ側）で、壁部７１とディスプレイユニット４の側面４ｃとの間の隙間が広がる等の不都合な事象が抑制されやすい。
【００２８】
また、本実施形態では、一例として、壁部７３は、支持部７２と壁部７１との間の位置からディスプレイユニット４側へ突出した突出部７５を有している。突出部７５により、部材７の剛性ならびに強度が向上されやすい。なお、突出部７５と面４ｂとの間には、緩衝材７６（例えば、エラストマやスポンジ等）が介在している。
【００２９】
なお、本実施形態では、一例として、筐体２の各端部２ｃ〜２ｄに沿った四つの第三の部材７の全てが、図４に示された断面形状と同様の断面形状を有している。
【００３０】
以上、説明したように、本実施形態では、一例として、筐体２は、四角形状の開口部２ｒを構成する壁部４１ａ（第一の壁部）を有したフロントベゼル４１（第一の部材）と、当該開口部２ｒの内側に入る大きさに構成され面４ａとは反対側で露出される四角形状の板状の部材６（第二の部材）と、を備える。よって、本実施形態によれば、一例としては、フロントベゼル４１と部材６とを、板材１００からより効率良く取り出すことができる。
【００３１】
また、本実施形態では、一例として、部材７（第三の部材）は、壁部７１（第三の壁部）と、壁部７３（第四の壁部）と、を有する。壁部７１は、ディスプレイユニット４の面４ｃ（第三の面）を覆い、壁部４１ａ（第一の壁部）ならびに壁部６ａ（第二の壁部）よりも厚さが厚い。また、壁部７３は、壁部７１（第三の壁部）と支持部７２との間に亘り壁部４１ａならびに壁部６ａよりも厚さが厚い。よって、本実施形態によれば、一例としては、ディスプレイユニット４と部材６とを繋ぐ比較的剛性の高い部材７によって筐体２の剛性が高まりやすい。
【００３２】
＜変形例＞
また、図６に示される変形例では、一例として、突出部７５の端部７５ａ（先端部、突端部）が、面４ｂと接触している。すなわち、端部７５ａが、接触部７４の一例である。壁部７３の壁部７１側は、面４ｂには直接的には接触せず、壁部７３と面４ｂとの間には緩衝材７６が介在している。本変形例にかかる構成によっても、上記実施形態と同様の構成に基づく同様の結果（効果）が得られる。
【００３３】
以上、本発明の実施形態および変形例を例示したが、上記実施形態および変形例はあくまで一例であって、発明の範囲を限定することは意図していない。これら実施形態および変形例は、その他の様々な形態で実施されることが可能であり、発明の要旨を逸脱しない範囲で、種々の省略、置き換え、組み合わせ、変更を行うことができる。これら実施形態および変形例は、発明の範囲や要旨に含まれるとともに、請求の範囲に記載された発明とその均等の範囲に含まれる。また実施形態と変形例との間で、構成要素を部分的に置き換えることも可能である。また、各構成要素のスペック（構造や、種類、方向、形状、大きさ、長さ、幅、厚さ、高さ、数、配置、位置、材質等）は、適宜に変更して実施することができる。なお、上記実施形態および変形例にかかる表示装置は、筐体の各端部に沿った四つの第三の部材を備えたが、これに替えて、Ｌ字状に構成された二つの第三の部材を備えてもよいし、四角形状の枠状に構成された一つの第三の部材を備えてもよい。また、第三の部材は、例えば、ダイキャスト等、押出成形以外の工法で構成することも可能である。
【図１】
2014155722.tif 000003
【図２】
2014155722.tif 000004
【図３】
2014155722.tif 000005
【図４】
2014155722.tif 000006
【図５】
2014155722.tif 000007
【図６】
2014155722.tif 000008
【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
画像が表示される第一の面を有したディスプレイパネルと、前記第一の面の周縁部を覆い当該第一の面を露出させる開口部を構成する第一の壁部を有した第一の部材と、を有したディスプレイユニットと、
前記ディスプレイユニットの前記第一の面とは反対側の第二の面を隙間をあけて覆う第二の壁部を有した第二の部材と、
前記第一の面および前記第二の面に交叉し前記第一の面と前記第二の面との間に亘る前記ディスプレイユニットの第三の面を覆い前記第一の壁部および前記第二の壁部よりも厚さが厚い第三の壁部と、前記第二の面から前記第一の面とは反対側に離間した位置で前記第二の部材を支持する支持部と、前記第三の壁部と前記支持部との間に亘る第四の壁部と、を有した第三の部材と、
を備えた、表示装置。
【請求項２】
画像が表示される第一の面を有したディスプレイパネルと、前記第一の面の周縁部を覆い当該第一の面を露出させる開口部を構成する第一の壁部を有した第一の部材と、を有したディスプレイユニットと、
前記ディスプレイユニットの前記第一の面とは反対側の第二の面を隙間をあけて覆う第二の壁部を有した第二の部材と、
前記第一の面および前記第二の面に交叉し前記第一の面と前記第二の面との間に亘る前記ディスプレイユニットの第三の面を覆う第三の壁部と、前記第二の面から前記第一の面とは反対側に離間した位置で前記第二の部材を支持する支持部と、前記第三の壁部と前記支持部との間に亘り前記第一の壁部および前記第二の壁部よりも厚さが厚い第四の壁部と、を有した第三の部材と、
を備えた、表示装置。
【請求項３】
第二の部材は、前記開口部の内側に入る大きさに構成された、請求項１または２に記載の表示装置。
【請求項４】
前記第四の壁部は、前記第三の壁部から前記支持部へ向かうにつれて前記ディスプレイユニットの中心側に近付く方向に近付くよう構成された、請求項１〜３のうちいずれか一つに記載の表示装置。
【請求項５】
前記第二の部材および前記第三の部材は、前記第二の壁部の周縁部と前記支持部とを貫通した固定具を介して前記ディスプレイユニットと固定され、
前記第三の部材は、前記支持部から前記第三の壁部側に離間した位置に、前記第二の面と接触する接触部を有した、請求項１〜４のうちいずれか一つに記載の表示装置。
【請求項６】
前記第四の壁部は、前記支持部と前記第三の壁部との間の位置から前記ディスプレイユニット側へ突出した突出部を有した、請求項１〜５のうちいずれか一つに記載の表示装置。
【手続補正２】
【補正対象書類名】明細書
【補正対象項目名】０００６
【補正方法】変更
【補正の内容】
【０００６】
実施形態にかかる表示装置は、一例として、ディスプレイユニットと、第二の部材と、第三の部材と、を備える。ディスプレイユニットは、ディスプレイパネルと、第一の部材と、を有する。ディスプレイパネルは、画像が表示される第一の面を有する。第一の部材は、第一の面の周縁部を覆い当該第一の面を露出させる開口部を構成する第一の壁部を有する。第二の部材は、前記ディスプレイユニットの前記第一の面とは反対側の第二の面を隙間をあけて覆う第二の壁部を有する。第三の部材は、第三の壁部と、支持部と、第四の壁部と、を有する。第三の壁部は、前記第一の面および前記第二の面に交叉し前記第一の面と前記第二の面との間に亘る前記ディスプレイユニットの第三の面を覆い前記第一の壁部および前記第二の壁部よりも厚さが厚い。支持部は、前記第二の面から前記第一の面とは反対側に離間した位置で前記第二の部材を支持する。第四の壁部は、前記第三の壁部と前記支持部との間に亘る。
【国際調査報告】
2014155722.tif 000009
2014155722.tif 000010
2014155722.tif 000011
2014155722.tif 000012